(57)【特許請求の範囲】
【請求項１】
その基部を中心に使用位置と起立した折畳位置の両位置に切換可能にブレードが足側の本体に取り付けられ、本体とブレードの各々に対応して爪が設けられ、起立したブレードを倒す操作によりブレードの爪が本体の爪の下方に嵌入して相互に係合する一方係合したブレードを捩じることによりブレードの爪が本体の爪に対して左右に係合が外れるダイビングフィン
【発明の詳細な説明】
【０００１】
【発明の属する技術分野】
この発明は、折畳可能なダイビング用のフィンに関するものである。
【０００２】
【従来の技術】
従来、ダイビング用のフィンは、足を入れるフットポケットと、水を掻くブレードとが一体になっており、足側への固定方式として、フットポケットの後端開口に締付用のストラップを備えたストラップ式のものと、フットポケットが足を包み込むフルフット式のものとがある。これらのフットポケットへは、通常、ブーツを履いて足を入れるが、フルフット式の場合には、裸足のままで足を入れることもある。
【０００３】
【発明が解決しようとする課題】
ところで、このようなフィンを履いてダイビングし、ボートに上がる際には、はしごを昇りやすくするため、ストラップを解放したり、フットポケットを反転させたりしてフィンを脱がなければならない。
【０００４】
また、岸からダイビングをする際には、フィンを履いたままでは歩きにくいので、ある水深のところでフィンを着脱しなければならない。
【０００５】
しかしながら、うねりや潮の流れが強い時などにフィンを着脱するのは困難であり、シュノーケルから水を吸い込んだり、流されたりする危険性もある。
【０００６】
そこで、この発明は、フィンを履いたままでボートのはしごを昇ったり、歩いたりできるようにすることを課題とする。
【０００７】
【課題を解決するための手段】
上記課題を解決するため、この発明に係るダイビングフィンは、足側の本体に対し、その基部を中心に、ブレードを使用位置と折畳位置の両位置に切換可能に取り付けたのである。
【０００８】
このフィンでは、ブレードを使用位置にすると、従来のフィンと同様に泳ぐことができ、折畳位置に切り換えると、ブレードが邪魔にならず、ボートのはしごを容易に昇ることができ、歩行することもできる。
【０００９】
【発明の実施の形態】
この発明の第１実施形態を図１乃至図４に基づいて説明する。
【００１０】
図１に示すように、このフィンは、本体１とブレード２とから成り、本体１の上面にはブーツ３が固定されている。ブレード２の水掻部４の両側には、後方に延びるステー５が設けられ、このステー５の端部は本体１の基部に軸６を介して回動自在に取り付けられている。
【００１１】
本体１の前端には、図２及び図３に示すように、３本の爪７と、水掻部４の後端部を支える支持片８とが突設され、ブレード２の水掻部４の後端には、爪７の下方にもぐり込む３本の爪９が設けられている。爪７、９の背面は相反する曲面となっている。
【００１２】
本体１の内部にはばね室１０が形成され、このばね室１０において、軸６の周囲にはねじりコイルばね１１が嵌められている。このねじりコイルばね１１は、ばねケース１２に収納され、ブレード２を起立する方向に付勢している。
【００１３】
ばねケース１２の両側面は円弧状とされ、その両側面がばね室１０の側面に規制されて、本体１は左右に揺動するようになっている。
【００１４】
ばね室１０とばねケース１２の前面の間には２本の圧縮コイルばね１３が挟まれ、この圧縮コイルばね１３により、本体１は真っ直ぐに向くように付勢されている。また、本体１の底面には、ゴム製の底材１４が固着されている。
【００１５】
上記のようなフィンで水中を泳ぐ際には、ブーツ３を履いて、図１に示すように、ブレード２を本体１から前方に延びる使用位置に設定する。この状態では、ブレード２の爪９が本体１の爪７で押さえられ、ブレード２が固定されるので、従来のフィンと同様に泳ぐことができる。
【００１６】
一方、図５に示すように、ダイビングが終わって、このフィン１５を履いたダイバー１６がボート１７に上がる際には、ダイバー１６は、ボート１７から下ろされたはしご１８につかまりつつ、フィン１５の側面をはしご１８に当てて足を捩じればよい。
【００１７】
このように捩じると、図２に鎖線で示すように、爪７、９の係合が外れ、図３に鎖線で示すように、ブレード２は、ねじりコイルばね１１の付勢力により起立して、図４に示すような折畳位置に切り換えられるので、はしご１８を容易に昇ることができる。
【００１８】
また、このようにブレード２を折り畳むと、歩くこともできるので、岸からエントリーする際、フィンを予め履いて海に入ることができ、ある水深まできたとき、ブレード２をそのまま下方へ倒すと、爪７、９の接触に伴いブレード２が前方に移動した後、圧縮コイルばね１３の付勢力により爪９が爪７と支持片８の間に嵌入するので、ブレード２を使用位置に固定して泳ぐことができる。
【００１９】
そして、岸に戻る際、フィンの側面を海底や岩に押し当てて足を捩じると、ブレード２が起立して折畳位置に切り換えられるので、フィンを脱ぐことなく、歩いて海から上がることができる。
【００２０】
なお、この実施形態では、足を左右いずれの方向へ捩じっても爪７、９の係合が外れるようにしたが、一方に捩じったときにのみ、その係合が外れて折畳位置に切り換えられるようにしてもよい。
【００２１】
また、圧縮コイルばね１３でばねケース１２を押す機構を採用したが、この機構は、ブレード２がステー５等の弾性により本体１に対して揺動できるようにすれば、省略することができる。
【００２２】
さらに、ねじりコイルばね１１でブレード２を起立方向に付勢する機構についても、例えば、使用者が自分でブレード２を使用位置と折畳位置の両位置に切り換えるようにすれば、省略することができる。
【００２３】
次に、この発明の第２実施形態を図６に基づいて説明する。
【００２４】
このフィンは、上述の第１実施形態のように、ブーツ３を本体１に固定せず、本体１にブーツ３を抜き差しできるフットポケット１９を設け、このフットポケット１９に挿入したブーツ３をストラップ２０で本体１に固定するようにしたものである。
【００２５】
このフィンでは、第１実施形態のものと同様に、ブレード２を折り畳めるだけでなく、従来のものと同様に、ストラップ２０を解放し、フットポケット１９から足を抜いて、ブーツ３ではしごを昇ったり、歩いたりすることができる。
【００２６】
次に、この発明の第３実施形態を図７に基づいて説明する。
【００２７】
このフィンは、上述の第１、２実施形態のもののように、足を捩じって本体１に対するブレード２の係合を解除するのではなく、ブレード２を手で前方に引くことにより、本体１の前端の係止片２１から水掻部４の後端を離脱させ、ブレード２を起伏させるようにしたものである。
【００２８】
このようなフィンでも、第１、２実施形態のものと同様に、ブレード２を折り畳んで、はしごを昇ったり、歩いたりすることができる。
【００２９】
【発明の効果】
以上のように、この発明に係るダイビングフィンでは、ブレードを使用位置にすると、従来のフィンと同様に泳ぐことができ、折畳位置に切り換えると、ブレードが邪魔にならず、ボートのはしごを容易に昇ることができ、歩行することもできる。
【図面の簡単な説明】
【図１】この発明の第１実施形態の使用状態を示す斜視図
【図２】同上の一部切欠平面図
【図３】同上の一部切欠側面図
【図４】同上の折畳状態を示す斜視図
【図５】同上のフィンを履いてボートに上がる様子を示す図
【図６】この発明の第２実施形態の使用状態を示す斜視図
【図７】この発明の第３実施形態の使用状態を示す平面図
【符号の説明】
１  本体
２  ブレード
３  ブーツ
４  水掻部
５  ステー
６  軸
７  爪（本体側）
８  支持片
９  爪（ブレード側）
１０  ばね室
１１  ねじりコイルばね
１２  ばねケース
１３  圧縮コイルばね
１４  底材
１５  フィン
１６  ダイバー
１７  ボート
１８  はしご
１９  フットポケット
２０  ストラップ
２１  係止片
【図１】
0003689894.tif 000002
【図２】
0003689894.tif 000003
【図３】
0003689894.tif 000004
【図４】
0003689894.tif 000005
【図５】
0003689894.tif 000006
【図６】
0003689894.tif 000007
【図７】
0003689894.tif 000008